(57)【特許請求の範囲】
【請求項１】
飲料容器が載置されるベンドステージを備え、装置本体の内部で生成された飲料を前記ベンドステージに載置された前記飲料容器に供給する飲料供給装置において、
前記装置本体に設けられたノズルから吐出された飲料を、前記飲料容器に案内して供給するノズルトレイと、
前記ノズルトレイにおける前記飲料を案内する流路の少なくとも前方側上部を覆うもので、かつ前記ベンドステージに係止されたことにより、前記ノズルトレイを前記ベンドステージに係合させるノズルカバーと
を備え、
前記ベンドステージは、前記ノズルカバーと係止された状態で前記装置本体に着脱可能に設けられたことを特徴とする飲料供給装置。
【請求項２】
前記ノズルカバーは、前記ノズルトレイと係合された状態で前記ベンドステージに係止されたことを特徴とする請求項１に記載の飲料供給装置。
【請求項３】
前記ノズルカバーは、前記ベンドステージに形成された係止突起が挿通することを許容する係止孔部を有する係止片部を備え、前記係止片部が弾性復元力により前記係止孔部に前記係止突起を挿通させたことにより前記ベンドステージと係止されたことを特徴とする請求項１又は請求項２に記載の飲料供給装置。
【請求項４】
前記ベンドステージ、前記ノズルトレイ及び前記ノズルカバーは、樹脂材により構成されたことを特徴とする請求項１〜３のいずれか１つに記載の飲料供給装置。
【発明の詳細な説明】
【技術分野】
【０００１】
本発明は、飲料供給装置に関し、より詳細には、飲料容器が載置されるベンドステージを備え、装置本体の内部で生成された飲料をベンドステージに載置された飲料容器に供給する飲料供給装置に関するものである。
【背景技術】
【０００２】
従来、例えば給茶機等のように、飲料容器であるカップが載置されるベンドステージを備え、装置本体の内部で生成された飲料をベンドステージに載置されたカップに供給する飲料供給装置が知られており、ノズルトレイが設けられている。
【０００３】
ノズルトレイには、生成する飲料の種類ごとに設けられたミキシングユニットが着脱可能に設けられており、該ミキシングユニットから吐出された飲料を、ベンドステージに載置されたカップに案内して供給するものである。
【０００４】
そのような飲料供給装置では、飲料が選択された場合に、選択された種類の飲料をミキシングユニットで生成し、ノズルトレイを通じて生成した飲料をベンドステージのカップに供給するようにしている（例えば、特許文献１参照）。
【先行技術文献】
【特許文献】
【０００５】
【特許文献１】特許第４８３２１２２号公報
【発明の概要】
【発明が解決しようとする課題】
【０００６】
ところで、上述した飲料供給装置では、ベンドステージやノズルトレイ等に付着した飲料成分を除去するために、定期的に清掃作業が行われる。
【０００７】
しかしながら、上記飲料供給装置では、ノズルトレイに対してミキシングユニットが着脱可能に設けられているので、ミキシングユニットをノズルトレイから離脱させた後にノズルトレイを装置本体から取り出す必要があり、またこのノズルトレイとは別にベンドステージを装置本体から取り出す必要があった。そのため、ベンドステージやノズルトレイ等の清掃作業が煩雑なものとなる虞れがあった。
【０００８】
本発明は、上記実情に鑑みて、ベンドステージやノズルトレイ等の清掃作業を簡単に行うことができる飲料供給装置を提供することを目的とする。
【課題を解決するための手段】
【０００９】
上記目的を達成するために、本発明に係る飲料供給装置は、飲料容器が載置されるベンドステージを備え、装置本体の内部で生成された飲料を前記ベンドステージに載置された前記飲料容器に供給する飲料供給装置において、前記装置本体に設けられたノズルから吐出された飲料を、前記飲料容器に案内して供給するノズルトレイと、前記ノズルトレイにおける前記飲料を案内する流路の少なくとも前方側上部を覆うもので、かつ前記ベンドステージに係止されたことにより、前記ノズルトレイを前記ベンドステージに係合させるノズルカバーとを備え、前記ベンドステージは、前記ノズルカバーと係止された状態で前記装置本体に着脱可能に設けられたことを特徴とする。
【００１０】
また本発明は、上記飲料供給装置において、前記ノズルカバーは、前記ノズルトレイと係合された状態で前記ベンドステージに係止されたことを特徴とする。
【００１１】
また本発明は、上記飲料供給装置において、前記ノズルカバーは、前記ベンドステージに形成された係止突起が挿通することを許容する係止孔部を有する係止片部を備え、前記係止片部が弾性復元力により前記係止孔部に前記係止突起を挿通させたことにより前記ベンドステージと係止されたことを特徴とする。
【００１２】
また本発明は、上記飲料供給装置において、前記ベンドステージ、前記ノズルトレイ及び前記ノズルカバーは、樹脂材により構成されたことを特徴とする。
【発明の効果】
【００１３】
本発明によれば、ベンドステージが、ノズルカバーと係止された状態で装置本体に着脱可能に設けられているので、ベンドステージをノズルカバーと係止した状態で装置本体から取り外してベンドステージやノズルトレイ等の清掃作業を行うことができ、清掃作業を簡単に行うことができるという効果を奏する。
【図面の簡単な説明】
【００１４】
【図１】図１は、本発明の実施の形態である飲料供給装置の内部構造を示す斜視図である。
【図２】図２は、図１に示した前面扉の正面図である。
【図３】図３は、図１に示した飲料供給装置において一部の構成要素を離脱させた状態を示す分解斜視図である。
【図４】図４は、図１及び図３に示した飲料供給部を示す斜視図である。
【図５】図５は、図１及び図３に示した飲料供給部を示す斜視図である。
【図６】図６は、図１及び図３に示した飲料供給部を示す分解斜視図である。
【図７】図７は、図１及び図３に示した飲料供給部を示す分解斜視図である。
【図８】図８は、図４〜図７に示した飲料供給部のうちベンドステージと板状部材との分解斜視図である。
【図９】図９は、図４〜図７に示した飲料供給部のうちノズルトレイとノズルカバーとの分解斜視図である。
【図１０】図１０は、図４〜図７に示した飲料供給部を構成する板状部材の斜視図である。
【図１１】図１１は、図４等に示した板状部材の要部の拡大縦断面図である。
【図１２】図１２は、図４及び図５に示したベンドステージ及び板状部材の縦断面図である。
【発明を実施するための形態】
【００１５】
以下に添付図面を参照して、本発明に係る飲料供給装置の好適な実施の形態について詳細に説明する。
【００１６】
図１は、本発明の実施の形態である飲料供給装置の内部構造を示す斜視図である。ここで例示する飲料供給装置は、例えば給茶機等のように、カップ等の飲料容器Ｃ（図１２参照）に対して選択された種類の飲料を供給するものであり、装置本体１０を備えている。
【００１７】
装置本体１０は、前面に開口（以下、前面開口ともいう）１１が形成された直方状の筐体であり、該前面開口１１が前面扉１２により開閉されるものである。ここで前面扉１２は、装置本体１０の前面開口１１を覆うのに十分な大きさを有したものであり、装置本体１０の左側前端部に揺動可能に軸支されている。かかる前面扉１２には、図２に示すように、上部に商品選択ボタン１３が設けられているとともに、下部に矩形状の扉開口１４が設けられている。
【００１８】
商品選択ボタン１３は、複数設けられており、それぞれ利用者が供給を希望する飲料等を選択する選択手段である。より具体的には、４種類の飲料のそれぞれに対して冷温の飲料を選択する商品選択ボタン１３と加温の飲料を選択する商品選択ボタン１３とが設けられるとともに、冷水を選択する商品選択ボタン１３と、湯を選択する商品選択ボタン１３とが設けられている。
【００１９】
図３は、図１に示した飲料供給装置において一部の構成要素を離脱させた状態を示す分解斜視図である。この図３にも示すように、装置本体１０の内部には、ミキシング部２０、冷水供給ノズル２１、湯供給ノズル２２及び飲料供給部３０が設けられている。
【００２０】
ミキシング部２０は、複数（図示の例では４つ）設けられている。これらミキシング部２０は、装置本体１０の内部において左右に並ぶように配置された原料キャニスタ２３の下部において、左右に並ぶよう設けられている。このようなミキシング部２０は、自身の上方に配置された原料キャニスタ２３から供給された粉体状の飲料原料と、図示せぬ原水回路から供給された飲料原水（冷水又は湯）とを図示せぬ撹拌パドルで撹拌混合させて飲料を生成するものである。
【００２１】
かかるミキシング部２０には、下方に向けて突出する飲料ノズル２０ａが設けられており、この飲料ノズル２０ａより生成された飲料を吐出するものである。
【００２２】
冷水供給ノズル２１は、上記原水回路から供給された冷水を吐出するものである。湯供給ノズル２２は、冷水供給ノズル２１と隣り合うように設けられており、上記原水回路から供給された湯を吐出するものである。
【００２３】
図４〜図７は、それぞれ図１及び図３に示した飲料供給部３０を示すものであり、図４及び図５は斜視図、図６及び図７は分解斜視図である。これら図４〜図７に示すように、飲料供給部３０は、ベンドステージ４０と、ノズルトレイ５０と、ノズルカバー６０と、板状部材７０とを備えて構成されている。
【００２４】
図８は、図４〜図７に示した飲料供給部３０のうちベンドステージ４０と板状部材７０との分解斜視図であり、図９は、図４〜図７に示した飲料供給部３０のうちノズルトレイ５０とノズルカバー６０との分解斜視図である。これら図８及び図９も適宜利用して飲料供給部３０について説明する。
【００２５】
ベンドステージ４０は、例えば樹脂材により構成された成形品であり、底部４１と背壁部４２とを有している。底部４１は、前方縁部が前方に向けて凸となる態様で湾曲し、この前方縁部に連続する後方縁部が後方に向けて凸となる態様で湾曲することで、上方から見た場合に左右方向が長手方向となる長円状の形態を成すものである。このような底部４１には、右側後方部に排水口４３が形成されており、該排水口４３に向かうに連れて漸次下方に傾斜している。ここで、排水口４３は、図示せぬ排水管に連通されており、外部に水を排出するための開口である。
【００２６】
背壁部４２は、底部４１の後方縁部より上方に向けて延在することで形成されている。この背壁部４２は、上述したように底部４１の後方縁部が後方に向けて凸となる態様で湾曲されているので、前方に向けて凹となる態様で湾曲している。
【００２７】
このような背壁部４２の上端部分には、第１切欠４４、左側係止突起４５及び右側係止突起４６が形成されている。第１切欠４４は、背壁部４２の上端部分の左右方向の中央部分に形成されており、詳細は後述するが、冷水供給ノズル２１及び湯供給ノズル２２を貫通させる貫通孔部３１を形成するものである。
【００２８】
左側係止突起４５は、背壁部４２の上端部分を構成する左側水平延在部４５ａの左端部において左方に向けて突出するよう形成されている。右側係止突起４６は、背壁部４２の上端部分を構成する右側水平延在部４６ａの右端部において右方に向けて突出するよう形成されている。
【００２９】
ノズルトレイ５０は、ベンドステージ４０と同様に、例えば樹脂材により構成された成形品であり、複数（図示の例では４つ）の流路５１と第２切欠５２とを有している。これら流路５１は、それぞれミキシング部２０に対応して設けられている。各流路５１には、後端部分に受容部５１ａが形成されるとともに、前端部分に下方に向けて突出する供給部５１ｂが形成されている。ここで各流路５１の受容部５１ａは左右方向に沿って並ぶように設けられており、各流路５１の供給部５１ｂはノズルトレイ５０の左右方向の中央部分の前端側に集中して設けられている。
【００３０】
第２切欠５２は、ノズルトレイ５０の左右方向の中央部分の後方部及び上方部に亘って形成されている。この第２切欠５２は、上述した第１切欠４４とともに上記貫通孔部３１を形成するものである。
【００３１】
ノズルカバー６０は、ベンドステージ４０及びノズルトレイ５０と同様に、例えば樹脂材により構成された成形品であり、後面に開口（以下、後面開口ともいう）６０ａが形成された箱状の形態を成している。このようなノズルカバー６０は、後面開口６０ａよりノズルトレイ５０が相対的に進入する場合に、ノズルトレイ５０の上部、前部、下部、左部及び右部の大部分を覆うものである。
【００３２】
かかるノズルカバー６０には、受容切欠６１、貫通孔用切欠６２、開放部６３、係合片部６４、左側係止孔部６５及び係止片部６６が設けられている。
【００３３】
受容切欠６１は、複数（図示の例では４つ）設けられており、ノズルトレイ５０の上部を覆うノズルカバー６０の上面の後端部分に形成されている。これら受容切欠６１は、ノズルトレイ５０がノズルカバー６０の後面開口６０ａより相対的に進入する場合に、該ノズルトレイ５０の各流路５１の受容部５１ａに対向する部分に形成されており、該受容部５１ａを開放する部位である。
【００３４】
貫通孔用切欠６２は、上面の後端部分に形成されている。この貫通孔用切欠６２は、ノズルトレイ５０がノズルカバー６０の後面開口６０ａより相対的に進入する場合に、該ノズルトレイ５０の第２切欠５２に対向する部分に形成されており、該第２切欠５２を開放する部位である。
【００３５】
開放部６３は、ノズルトレイ５０の下部を覆うノズルカバー６０の下面に形成されている。この開放部６３は、ノズルトレイ５０がノズルカバー６０の後面開口６０ａより相対的に進入する場合に、該ノズルトレイ５０の各流路５１の供給部５１ｂを開放する部位である。
【００３６】
係合片部６４は、複数（図示の例では２つ）設けられており、上面の左右両端側の前端部に形成された舌片状部分である。これら係合片部６４には、下方に向けて突出する係合突起６４ａが形成されている。これら係合片部６４は、ノズルトレイ５０がノズルカバー６０の後面開口６０ａより相対的に進入する場合に、ノズルトレイ５０の上部に形成された長孔形状の係合孔部５３に係合突起６４ａが挿通することでノズルカバー６０とノズルトレイ５０とを係合させる部位である。
【００３７】
左側係止孔部６５は、ノズルトレイ５０の左部を覆うノズルカバー６０の左面に形成されている。この左側係止孔部６５は、前後方向が長手方向となる長孔形状を有している。
【００３８】
係止片部６６は、ノズルトレイ５０の右部を覆うノズルカバー６０の右面に形成された舌片状部分である。この係止片部６６には、右側係止孔部６６ａが形成されている。この右側係止孔部６６ａは、前後方向が長手方向となる長孔形状を有するものである。
【００３９】
このようなノズルカバー６０は、後面開口６０ａよりノズルトレイ５０が相対的に進入することで、ノズルトレイ５０の上部、前部、下部、左部及び右部の大部分を覆うようにし、係合片部６４の係合突起６４ａがノズルトレイ５０の係合孔部５３に挿通することでノズルトレイ５０と係合状態となる。
【００４０】
ノズルトレイ５０と係合状態となるノズルカバー６０を、左側係止孔部６５にベンドステージ４０の左側係止突起４５が挿通させた状態にする。そして、係止片部６６をベンドステージ４０に近接させることにより、該係止片部６６が弾性変形した後に弾性復元力により元の状態に戻ることで右側係止孔部６６ａにベンドステージ４０の右側係止突起４６を挿通させて、図４及び図５に示したように、ノズルカバー６０は、ノズルトレイ５０をベンドステージ４０に係合させつつ該ベンドステージ４０に係止される。
【００４１】
このようにしてベンドステージ４０にノズルカバー６０が係止されることにより、ベンドステージ４０の第１切欠４４とノズルトレイ５０の第２切欠５２とが互いに連続して貫通孔部３１を形成する。
【００４２】
図１０は、図４〜図７に示した飲料供給部３０を構成する板状部材７０の斜視図である。この図１０も適宜用いて板状部材７０について説明する。
【００４３】
板状部材７０は、ベンドステージ４０、ノズルトレイ５０及びノズルカバー６０と同様に、例えば樹脂材により構成された成形品であり、第１載置部７０ａと第２載置部７０ｂとを備えて構成されている。
【００４４】
第１載置部７０ａは、上方から見た場合に左右方向が長手方向となる長円の円周状の第１フレーム材７１に、左右方向が長手方向となる複数の第１横材７２が前後方向に沿って互いに離隔して並設されることにより構成された簀の子構造を有するものである。
【００４５】
このような第１載置部７０ａは、ベンドステージ４０の底部４１を覆うのに十分な大きさを有しており、該底部４１の周縁部に周方向に離隔して形成された支持突起４７（図８参照）に第１フレーム材７１が載置されることにより、該底部４１を覆うように設置されるものである。
【００４６】
そして、第１載置部７０ａには、底部４１に設置される際に、ノズルトレイ５０の複数の供給部５１ｂ、冷水供給ノズル２１及び湯供給ノズル２２の直下領域に貫通孔７３が形成されている。
【００４７】
第２載置部７０ｂは、外径が上記貫通孔７３の内径に適合する円周状の第２フレーム材７４に、左右方向が長手方向となる複数の第２横材７５が前後方向に沿って互いに離隔して並設されることにより構成された簀の子構造を有するものである。
【００４８】
この第２載置部７０ｂは、第１載置部７０ａとは異なる色に着色されて成るものであり、貫通孔７３に進入して第１載置部７０ａに嵌合されて飲料容器Ｃが載置される個所を構成している。尚、第２横材７５の相互間の間隔は、第１横材７２の相互間の間隔と同じとなるように調整されている。
【００４９】
このような第１載置部７０ａ及び第２載置部７０ｂを備えた板状部材７０では、図１１に示すように、第１横材７２及び第２横材７５の上面７２ａ，７５ａが、前方に向かうに連れて漸次下方に傾斜している。
【００５０】
そして、板状部材７０において、第２載置部７０ｂよりも前方側、すなわち飲料容器Ｃが載置される個所よりも前方側となる第１載置部７０ａの第１横材７２は、図１１に示すように、互いに前後に隣接する第１横材７２の相互間において前方側の第１横材７２の上端部７２ｂが後方側の第１横材７２の上端部７２ｂよりも高さレベルが距離αだけ低くなる態様で形成されている。
【００５１】
また、上記板状部材７０は、突部７６を有している。突部７６は、左右一対となるものであり、図１０に示したように、第１載置部７０ａの左右両端部において第１フレーム材７１に連続する態様で第１横材７２よりも下方に突出する態様で形成された平板状部分である。
【００５２】
このような板状部材７０は、第１フレーム材７１がベンドステージ４０の支持突起４７に載置されることで、該ベンドステージ４０の底部４１に設置される。
【００５３】
ところで、ベンドステージ４０の底部４１には、図８及び図１２に示すように、複数（図示の例では２つ）の長尺状リブ４８が設けられている。
【００５４】
これら長尺状リブ４８は、左右方向が長手方向となる長尺状のものであり、底部４１に板状部材７０が設置される場合に、該底部４１における第２載置部７０ｂよりも前方側部分に上方に向けて突出する態様で互いに前後に離隔して設けられている。
【００５５】
以上のような構成を有する飲料供給装置においては、次のようにしてベンドステージ４０を装置本体１０に配設することができる。
【００５６】
前面扉１２を前方に向けて揺動させて前面開口１１が開放された装置本体１０に対して、上述したようにノズルカバー６０と係止されたベンドステージ４０を、上方部分が下方部分よりも後方側に傾斜した傾斜姿勢で前方側から近接させる。そして、貫通孔部３１に冷水供給ノズル２１及び湯供給ノズル２２を貫通させ、その後に傾斜姿勢から起立姿勢に戻すことにより、ノズルトレイ５０の各受容部５１ａにミキシング部２０の飲料ノズル２０ａの先端部を進入させて該装置本体１０に配置させることができる（図１参照）。
【００５７】
この場合に、冷水供給ノズル２１及び湯供給ノズル２２と、貫通孔部３１の下端縁部を構成する第１切欠４４の縁部４４ａ（図５参照）との離間距離、並びに飲料ノズル２０ａと受容部５１ａの底部分５１ｃ（図６参照）との離間距離が十分に確保されているものとする。
【００５８】
その後に、板状部材７０をベンドステージ４０に設置させつつ前面扉１２を後方に向けて揺動して前面開口１１を閉塞することで、扉開口１４から露出した状態でベンドステージ４０を配設することができる。
【００５９】
その一方、上記飲料供給装置においては、次のようにしてベンドステージ４０を装置本体１０から取り外すことができる。
【００６０】
前面扉１２を前方に向けて揺動させて装置本体１０の前面開口１１を開放させつつ板状部材７０をベンドステージ４０から離脱させる。そして、ノズルカバー６０と係止されたベンドステージ４０を上方に向けて移動させてから下方部分が上方部分よりも前方側に傾斜した傾斜姿勢にすることで、飲料ノズル２０ａの先端部を受容部５１ａから離脱させる。その後に、ベンドステージ４０を傾斜姿勢のまま前方に向けて移動させることにより、冷水供給ノズル２１及び湯供給ノズル２２が貫通孔部３１から相対的に離脱させて、ベンドステージ４０を取り外すことができる。
【００６１】
つまり、上記飲料供給装置では、ベンドステージ４０がノズルカバー６０と係止した状態で装置本体１０に着脱可能に設けられている。
【００６２】
そして、ベンドステージ４０が配設された飲料供給装置においては、第２載置部７０ｂに飲料容器Ｃが載置された状態で、利用者により任意の商品選択ボタン１３が押圧操作されると、該当するミキシング部２０にて飲料原料と飲料原水とが撹拌混合されて飲料が生成される。
【００６３】
ミキシング部２０にて生成された飲料は、飲料ノズル２０ａから吐出されて、該ミキシング部２０の下方のノズルトレイ５０の受容部５１ａに受容される。受容部５１ａに受容された飲料は、ノズルトレイ５０の流路５１を通過して供給部５１ｂから吐出されて飲料容器Ｃに供給される。つまり、ノズルトレイ５０は、ミキシング部２０から吐出された飲料を、飲料容器Ｃに案内して供給するものである。
【００６４】
このようにして飲料が供給された飲料容器Ｃは、前面扉１２の扉開口１４を介して利用者により取り出される。
【００６５】
ところで、飲料容器Ｃの飲み残し飲料や利用者が所有する水筒の飲料等の水がベンドステージ４０の底部４１に排出されると、ベンドステージ４０の背壁部４２が湾曲していることもあり、排出された水の一部が背壁部４２の下部に接した後に該背壁部４２の左右両側部の下部において前方に向けて回り込むように流れることが考えられる。
【００６６】
そこで、上記飲料供給装置においては、左右一対の突部７６が第１載置部７０ａ（板状部材７０）の左右両端部において第１フレーム材７１に連続する態様で第１横材７２よりも下方に突出する態様で形成されているので、図１２の二点鎖線の矢印で示すように、背壁部４２の下部に接して該背壁部４２の左右両側部の下部にて前方に向けて回り込むように流れた水に当接して、該水が前方に向けて飛散することを規制する。
【００６７】
また、上記飲料供給装置においては、装置本体１０の原水回路やミキシング部２０の洗浄を行うために、定期的にリンス湯と称される洗浄湯を原水回路やミキシング部２０を通過させることが行われる。このように原水回路やミキシング部２０を通過した洗浄湯は、ノズルトレイ５０を通じて供給部５１ｂより吐出されてベンドステージ４０の底部４１に排出される。
【００６８】
そこで、上記飲料供給装置においては、左右方向が長手方向となる長尺状リブ４８が、底部４１における第２載置部７０ｂよりも前方側部分に上方に向けて突出する態様で互いに前後に離隔して設けられているので、図１２の一点鎖線の矢印で示すように、排出された洗浄湯に対して堰として機能して、洗浄湯がそれ以上前方に向けて流れることを規制する。特に、本実施の形態のように、板状部材７０を構成する第１横材７２及び第２横材７５の上面７２ａ，７５ａが前方に向かうに連れて漸次下方に傾斜していると、底部４１では板状部材７０を通過した洗浄湯が前方に向かって流れようとするので、より効果的である。
【００６９】
以上説明したように、本実施の形態である飲料供給装置によれば、ベンドステージ４０がノズルカバー６０と係止した状態で装置本体１０に着脱可能に設けられているので、ベンドステージ４０をノズルカバー６０と係止した状態で装置本体１０から取り外してベンドステージ４０やノズルトレイ５０等の清掃作業を行うことができ、清掃作業を簡単に行うことができる。
【００７０】
上記飲料供給装置によれば、ノズルカバー６０が、ベンドステージ４０に形成された右側係止突起４６が挿通することを許容する右側係止孔部６６ａを有する係止片部６６を備え、係止片部６６が弾性復元力により右側係止孔部６６ａに右側係止突起４６を挿通させたことによりベンドステージ４０と係止されているので、工具等が不要となる。
【００７１】
上記飲料供給装置によれば、突部７６が、背壁部４２の下部に接して該背壁部４２の左右両側部の下部にて前方に向けて回り込むように流れた水に当接して、該水が前方に向けて飛散することを規制するので、従来のように、ベンドステージの底部の奥行き寸法を拡大させる必要がない。従って、ベンドステージ４０の奥行き寸法の小型化を図りつつ、排出された水が前方に向けて飛散することを防止することができる。
【００７２】
特に、突部７６が板状部材７０に設けられていることにより、板状部材７０をベンドステージ４０から離脱させれば、ベンドステージ４０の底部４１の清掃を良好に行うことができる。
【００７３】
上記飲料供給装置によれば、長尺状リブ４８が、排出された洗浄湯に対して堰として機能して洗浄湯がそれ以上前方に向けて流れることを規制するので、洗浄湯が底部４１の前端部と、板状部材７０の前端部との隙間から溢れてしまうことを抑制することができる。
【００７４】
特に本実施の形態では、複数の長尺状リブ４８が互いに前後に離隔して設けられていたので、１つ１つの長尺リブの突出高さを抑制することができ、これにより、底部４１の清掃を良好に行うことができる。
【００７５】
上記飲料供給装置によれば、板状部材７０を構成する第１横材７２及び第２横材７５の上面７２ａ，７５ａが前方に向かうに連れて漸次下方に傾斜しているので、板状部材７０と、供給部５１ｂ、冷水供給ノズル２１及び湯供給ノズル２２との離間距離を拡大しても、これら供給部５１ｂ等から吐出された飲料等が前方に向けて大きく飛散することを抑制でき、これにより、所定のカップだけでなく、利用者が所有する水筒を飲料容器Ｃとして板状部材７０に載置させることができる。
【００７６】
上記飲料供給装置によれば、板状部材７０における第２載置部７０ｂよりも前方側の各第１横材７２は、互いに前後に隣接する第１横材７２の相互間において前方側の第１横材７２の上端部７２ｂが後方側の第１横材７２の上端部７２ｂよりも高さレベルが低くなる態様で形成されているので、板状部材７０に載置された飲料容器Ｃを利用者が取り出す際に、飲料容器Ｃが第１横材７２に引っかかってしまうことを抑制することができる。
【００７７】
以上、本発明の好適な実施の形態について説明したが、本発明はこれに限定されるものではなく、種々の変更を行うことができる。
【００７８】
上述した実施の形態では、突部７６が板状部材７０に設けられていたが、本発明においては、突部が底部に設けられていてもよいし、板状部材と底部との両方に設けられていてもよい。
【００７９】
上述した実施の形態では、長尺状リブ４８が複数設けられていたが、本発明においては、単数であってもよい。
【符号の説明】
【００８０】
１０  装置本体
２０  ミキシング部
２１  冷水供給ノズル
２２  湯供給ノズル
３０  飲料供給部
４０  ベンドステージ
４１  底部
４２  背壁部
４８  長尺状リブ
５０  ノズルトレイ
５１  流路
６０  ノズルカバー
７０  板状部材
７１  第１フレーム材
７２  第１横材
７４  第２フレーム材
７５  第２横材
７６  突部
Ｃ  飲料容器
【図１】
0006620592.tif 000002
【図２】
0006620592.tif 000003
【図３】
0006620592.tif 000004
【図４】
0006620592.tif 000005
【図５】
0006620592.tif 000006
【図６】
0006620592.tif 000007
【図７】
0006620592.tif 000008
【図８】
0006620592.tif 000009
【図９】
0006620592.tif 000010
【図１０】
0006620592.tif 000011
【図１１】
0006620592.tif 000012
【図１２】
0006620592.tif 000013